(57)【特許請求の範囲】
【請求項１】
液晶パネルを提供するステップＳ１と、
前記液晶パネルのＶ-Ｔ曲線を測定し、前記Ｖ-Ｔ曲線のピークに対応する電圧はデータ信号電圧であるステップＳ２と、
前記液晶パネルの高負荷画像及び低負荷画像をそれぞれ同一のグレースケールに従って点灯させ、前記高負荷画像の実際の表示輝度及び前記低負荷画像の実際の表示輝度を測定して記録するステップＳ３と、
前記高負荷画像の実際の表示輝度と前記低負荷画像の実際の表示輝度との比を計算するステップＳ４と、
この前記高負荷画像の実際の表示輝度と前記低負荷画像の実際の表示輝度との比の値を比率として、前記ピークに対してこのような比率を呈する測定点を前記Ｖ-Ｔ曲線上に記し、前記測定点に対応する電圧を特定し、前記測定点に対応する電圧はピクセル電圧のピーク値であるステップＳ５と、
前記ピクセル電圧のピーク値及び前記データ信号電圧に基づいて前記液晶パネルの充電率を以下の式で計算するステップＳ６と、を含む液晶パネルの充電率を求める方法であって、
ＣＲａｔｉｏ＝（Ｖｐｉｘｅｌ/Ｖｄａｔａ）×１００％
上記式中、ＣＲａｔｉｏは前記液晶パネルの充電率を示し、Ｖｄａｔａは前記データ信号電圧を示し、Ｖｐｉｘｅｌは前記ピクセル電圧のピーク値を示し、
前記低負荷画像は全階調数が０−２５５である場合の電圧を印加する側のグレースケール２５５の全白色画像であり、
前記高負荷画像は全階調数が０−２５５である場合の電圧を印加する側のグレースケール２５５の単色画像である純赤色画像と、全階調数が０−２５５である場合の電圧を印加する側のグレースケール２５５の単色画像である純緑色画像と、全階調数が０−２５５である場合の電圧を印加する側のグレースケール２５５の単色画像である純青色画像と含み、
前記全白色画像、前記単色画像である純赤色画像、前記単色画像である純緑色画像、及び前記単色画像である純青色画像の各々につき、事前充電プロセスが存在し、
前記事前充電プロセスは前記データ信号電圧を印加する前から前記データ信号電圧よりも低い電圧を印加することによって行われ、
前記低負荷画像の事前充電プロセスにおいては、最終的な前記ピクセル電圧のピーク値は前記データ信号電圧に達することができ、
前記高負荷画像の事前充電プロセスにおいては、最終的な前記ピクセル電圧のピーク値は前記データ信号電圧よりも低くなることを特徴とする液晶パネルの充電率を求める方法。
【請求項２】
前記ステップＳ３において、前記低負荷画像の点灯は、前記単色画像である純赤色画像の点灯、前記単色画像である純緑色画像の点灯、及び前記単色画像である純青色画像の点灯を順に行なうことによって実現することを特徴とする請求項１に記載の液晶パネルの充電率を求める方法。
【請求項３】
前記ステップＳ４において、前記高負荷画像の実際の表示輝度と前記低負荷画像の実際の表示輝度との比を計算するのに用いられる公式は、
ＬｖＲａｔｉｏ＝（ＬｖＲ＋ＬｖＧ＋ＬｖＢ）/ ＬｖＷ
であり、ＬｖＲａｔｉｏは前記高負荷画像の実際の表示輝度と前記低負荷画像の実際の表示輝度との比を示し、ＬｖＲは前記単色画像である純赤色画像の実際の表示輝度を示し、ＬｖＧは前記単色画像である純緑色画像の実際の表示輝度を示し、ＬｖＢは前記単色画像である純青色画像の実際の表示輝度を示し、ＬｖＷは前記全白色画像の実際の表示輝度を示すことを特徴とする請求項２に記載の液晶パネルの充電率を求める方法。
【請求項４】
液晶パネルを提供するステップＳ１と、
前記液晶パネルのＶ-Ｔ曲線を測定し、前記Ｖ-Ｔ曲線のピークに対応する電圧はデータ信号電圧であるステップＳ２と、
前記液晶パネルの高負荷画像及び低負荷画像をそれぞれ同一のグレースケールに従って点灯させ、前記高負荷画像の実際の表示輝度及び前記低負荷画像の実際の表示輝度を測定して記録するステップＳ３と、
前記高負荷画像の実際の表示輝度と前記低負荷画像の実際の表示輝度との比を計算するステップＳ４と、
この前記高負荷画像の実際の表示輝度と前記低負荷画像の実際の表示輝度との比の値を比率として、前記ピークに対してこのような比率を呈する測定点を前記Ｖ-Ｔ曲線上に記し、前記測定点に対応する電圧を特定し、前記測定点に対応する電圧はピクセル電圧のピーク値であるステップＳ５と、
前記ピクセル電圧のピーク値及び前記データ信号電圧に基づいて前記液晶パネルの充電率を以下の式で計算するステップＳ６と、を含む液晶パネルの充電率を求める方法であって、
ＣＲａｔｉｏ＝（Ｖｐｉｘｅｌ/Ｖｄａｔａ）×１００％
上記式中、ＣＲａｔｉｏは前記液晶パネルの充電率を示し、Ｖｄａｔａは前記データ信号電圧を示し、Ｖｐｉｘｅｌは前記ピクセル電圧のピーク値を示し、
前記低負荷画像は全階調数が０−２５５である場合の電圧を印加する側のグレースケール２５５の全白色画像であり、
前記高負荷画像は、全階調数が０−２５５である場合の電圧を印加する側のグレースケール２５５の単色画像である純赤色画像と、全階調数が０−２５５である場合の電圧を印加する側のグレースケール２５５の単色画像である純緑色画像と、全階調数が０−２５５である場合の電圧を印加する側のグレースケール２５５の単色画像である純青色画像とを含み、
前記ステップＳ３において、前記低負荷画像の点灯は、前記単色画像である純赤色画像の点灯、前記単色画像である純緑色画像の点灯、及び前記単色画像である純青色画像の点灯を順に行なうことによって実現し、
前記全白色画像、前記単色画像である純赤色画像、前記単色画像である純緑色画像、及び前記単色画像である純青色画像の各々につき、事前充電プロセスが存在し、
前記事前充電プロセスは前記データ信号電圧を印加する前から前記データ信号電圧よりも低い電圧を印加することによって行われ、
前記低負荷画像の事前充電プロセスにおいては、最終的な前記ピクセル電圧のピーク値は前記データ信号電圧に達することができ、
前記高負荷画像の事前充電プロセスにおいては、最終的な前記ピクセル電圧のピーク値は前記データ信号電圧よりも低くなることを特徴とする液晶パネルの充電率を求める方法。
【請求項５】
前記ステップＳ４において、前記高負荷画像の実際の表示輝度と前記低負荷画像の実際の表示輝度との比を計算するのに用いられる公式は、
ＬｖＲａｔｉｏ＝（ＬｖＲ＋ＬｖＧ＋ＬｖＢ）/ ＬｖＷ
であり、ＬｖＲａｔｉｏは前記高負荷画像の実際の表示輝度と前記低負荷画像の実際の表示輝度との比を示し、ＬｖＲは前記単色画像である純赤色画像の実際の表示輝度を示し、ＬｖＧは前記単色画像である純緑色画像の実際の表示輝度を示し、ＬｖＢは前記単色画像である純青色画像の実際の表示輝度を示し、ＬｖＷは前記全白色画像の実際の表示輝度を示すことを特徴とする請求項４に記載の液晶パネルの充電率を求める方法。
【発明の詳細な説明】
【技術分野】
【０００１】
本発明はディスプレイ技術の分野に関するものであり、特に液晶パネルの充電率を求める方法に関するものである。
【背景技術】
【０００２】
液晶ディスプレイパネル（Ｌｉｑｕｉｄ Ｃｒｙｓｔａｌ Ｄｉｓｐｌａｙ、ＬＣＤ）、略して液晶パネルは、薄型、省電力、無放射等の様々な利点を有し、液晶テレビ、スマートフォン、デジタルカメラ、タブレットＰＣ、ＰＣモニター又はノートブックＰＣのモニター等に広く適用されており、パネルディスプレイの分野において主要な地位を得ている。
【０００３】
液晶パネルの動作原理として、薄膜トランジスタアレイ基板（Ｔｈｉｎ Ｆｉｌｍ Ｔｒａｎｓｉｓｔｏｒ Ａｒｒａｙ Ｓｕｂｓｔｒａｔｅ、ＴＦＴ Ａｒｒａｙ Ｓｕｂｓｔｒａｔｅ）と、カラーフィルタ（Ｃｏｌｏｒ Ｆｉｌｔｅｒ、ＣＦ）基板との間に液晶分子を注ぎ、２枚の基板に駆動電圧を印加することで、液晶分子の回転方向を制御し、バックライトモジュールからの光を屈折させて画像を生成する。
【０００４】
図１を参照されたい。液晶パネルのアクティブエリアＡＡ内には、複数のアレイ状に配置されたピクセルＰが設けられており、各ピクセルＰはさらに、縦方向に順次配列された、赤サブピクセルＲと、緑サブピクセルＧと、青サブピクセルＢとを含む。各サブピクセルには１つの薄膜トランジスタ（Ｔｈｉｎ Ｆｉｌｍ Ｔｒａｎｓｉｓｔｏｒ、ＴＦＴ）Ｔが電気的に接続されており、薄膜トランジスタＴのゲート電極は横方向に延びる走査線１００に接続されており、ソース電極は縦方向に延びるデータ線２００に接続されており、ドレイン電極はピクセル電極ＰＸに接続されている。１つのピクセルＰは通常、１本のデータ線２００及び３本の走査線１００と対応しており、これは業界でＴｒｉｇａｔｅ構造と称される。走査線１００上にゲート走査信号Ｇａｔｅを印加することで、当該走査線１００に電気的に接続された全ての薄膜トランジスタＴはオンとなる。これにより、データ線２００上に印加されたデータ信号Ｄａｔａは対応するサブピクセルに書き込まれ、液晶の透過率を制御することで、色彩及び輝度を制御できるという効果が得られる。
【０００５】
充電率（Ｃｈａｒｇｉｎｇ  Ｒａｔｉｏ）は液晶パネルにおける重要な指標の１つであり、充電率の大小は直接液晶パネルの輝度、透過率、画質等の表示性能に影響を与える。図２を参照されたい。充電率ＣＲａｔｉｏの計算に用いる公式は以下の通りである。
【０００６】
ＣＲａｔｉｏ＝（Ｖｐｉｘｅｌ/Ｖｄａｔａ）×１００％
ここで、Ｖｄａｔａは、ゲート走査信号Ｇａｔｅの有効期間内におけるデータ信号Ｄａｔａの電圧を示し、Ｖｐｉｘｅｌは、サブピクセルの充電後における対応するピクセル電圧のピーク値を示す。
【０００７】
通常、図２に示すように、ゲート走査信号Ｇａｔｅの有効期間はデータ信号Ｄａｔａの有効期間と等しく、事前充電プロセスが存在しないため、液晶パネルの充電率は比較的低くなる。充電率を上げるためには、図３に示すように、ゲート走査信号Ｇａｔｅの有効期間がデータ信号Ｄａｔａの有効期間よりも長くなるよう設定することができ、この場合、事前充電（Ｐｒｅｃｈａｒｇｅ）プロセスが存在し、液晶パネルの充電率は上がることとなる。
【０００８】
従来における液晶パネルの充電率を求める方法のプロセスは以下の通りである。
【０００９】
ピクセルのレイアウト（Ｌａｙｏｕｔ）を特定し；
ピクセルを構成する各フィルム層の厚さ及び導電率、誘電率等の電気的パラメーターを特定し；
関連する抵抗、コンデンサ等の電気的パラメーターを抽出し；
サブピクセル内の薄膜トランジスタの特性に基づいて、薄膜トランジスタのパラメーター表（Ｍｏｄｅｌ Ｃａｒｄ）を構築し；
液晶パネルの駆動方式に基づいて、シミュレーション（Ｓｐｉｃｅ）モデルを構築し；
ピクセル電圧をシミュレートして求め、充電率を計算する。
【００１０】
上述の従来における液晶パネルの充電率を求める方法には明らかな欠点があり、求められる充電率はシミュレーションの結果でしかなく、精度を保証できず、実験による検証も不可能であった。
【発明の概要】
【発明が解決しようとする課題】
【００１１】
本発明の目的は液晶パネルの充電率を求める方法を提供することであり、当該方法は、精度がより高く、従来の方法を用いて得られた充電率シミュレーション結果の精度を検証するのにも適用され得る。
【課題を解決するための手段】
【００１２】
上述の目的を達成するために、本発明は液晶パネルの充電率を求める方法を提供し、当該方法は、
液晶パネルを提供するステップＳ１と、
前記液晶パネルのＶ-Ｔ曲線を測定し、前記Ｖ-Ｔ曲線のピークに対応する電圧はデータ信号電圧であるステップＳ２と、
前記液晶パネルの高負荷画像及び低負荷画像をそれぞれ同一のグレースケールに従って点灯させ、前記高負荷画像の実際の表示輝度及び前記低負荷画像の実際の表示輝度を測定して記録するステップＳ３と、
前記高負荷画像の実際の表示輝度と前記低負荷画像の実際の表示輝度との比を計算するステップＳ４と、
この前記高負荷画像の実際の表示輝度と前記低負荷画像の実際の表示輝度との比の値を比率として、前記ピークに対してこのような比率を呈する測定点を前記Ｖ-Ｔ曲線上に記し、前記測定点に対応する電圧を特定し、前記電圧は即ちピクセル電圧のピーク値であるステップＳ５と、
前記ピクセル電圧のピーク値及び前記データ信号電圧に基づいて前記液晶パネルの充電率を以下の式で計算するステップＳ６と、を含んでおり、
ＣＲａｔｉｏ＝（Ｖｐｉｘｅｌ/Ｖｄａｔａ）×１００％
上記式中、ＣＲａｔｉｏは前記液晶パネルの充電率を示し、Ｖｄａｔａは前記データ信号電圧を示し、Ｖｐｉｘｅｌは前記ピクセル電圧のピーク値を示す。
【００１３】
前記低負荷画像は全白色画像である。
【００１４】
前記高負荷画像は、単色画像である純赤色画像と、単色画像である純緑色画像と、単色画像である純青色画像とを含む。
【００１５】
前記ステップＳ３において、前記低負荷画像の点灯は、前記単色画像である純赤色画像の点灯、前記単色画像である純緑色画像の点灯、及び前記単色画像である純青色画像の点灯を順に行なうことによって実現する。
【００１６】
前記ステップＳ４において、前記高負荷画像の実際の表示輝度と前記低負荷画像の実際の表示輝度との比を計算するのに用いられる公式は、
ＬｖＲａｔｉｏ＝（ＬｖＲ＋ＬｖＧ＋ＬｖＢ）/ ＬｖＷ
であり、ＬｖＲａｔｉｏは前記高負荷画像の実際の表示輝度と前記低負荷画像の実際の表示輝度との比を示し、ＬｖＲは前記単色画像である純赤色画像の実際の表示輝度を示し、ＬｖＧは前記単色画像である純緑色画像の実際の表示輝度を示し、ＬｖＢは前記単色画像である純青色画像の実際の表示輝度を示し、ＬｖＷは前記全白色画像の実際の表示輝度を示す。
【００１７】
前記ステップＳ３における前記同一のグレースケールはグレースケール２５５である。
【００１８】
前記全白色画像、前記単色画像である純赤色画像、前記単色画像である純緑色画像、及び前記単色画像である純青色画像の各々につき、事前充電プロセスが存在する。
【００１９】
本発明は液晶パネルの充電率を求める方法をさらに提供し、当該方法は、
液晶パネルを提供するステップＳ１と、
前記液晶パネルのＶ-Ｔ曲線を測定し、前記Ｖ-Ｔ曲線のピークに対応する電圧はデータ信号電圧であるステップＳ２と、
前記液晶パネルの高負荷画像及び低負荷画像をそれぞれ同一のグレースケールに従って点灯させ、前記高負荷画像の実際の表示輝度及び前記低負荷画像の実際の表示輝度を測定して記録するステップＳ３と、
前記高負荷画像の実際の表示輝度と前記低負荷画像の実際の表示輝度との比を計算するステップＳ４と、
この前記高負荷画像の実際の表示輝度と前記低負荷画像の実際の表示輝度との比の値を比率として、前記ピークに対してこのような比率を呈する測定点を前記Ｖ-Ｔ曲線上に記し、前記測定点に対応する電圧を特定し、前記電圧は即ちピクセル電圧のピーク値であるステップＳ５と、
前記ピクセル電圧のピーク値及び前記データ信号電圧に基づいて前記液晶パネルの充電率を以下の式で計算するステップＳ６と、を含んでおり、
ＣＲａｔｉｏ＝（Ｖｐｉｘｅｌ/Ｖｄａｔａ）×１００％
上記式中、ＣＲａｔｉｏは前記液晶パネルの充電率を示し、Ｖｄａｔａは前記データ信号電圧を示し、Ｖｐｉｘｅｌは前記ピクセル電圧のピーク値を示し、
前記低負荷画像は全白色画像であり、
前記高負荷画像は、単色画像である純赤色画像と、単色画像である純緑色画像と、単色画像である純青色画像とを含み、
前記ステップＳ３において、前記低負荷画像の点灯は、前記単色画像である純赤色画像の点灯、前記単色画像である純緑色画像の点灯、及び前記単色画像である純青色画像の点灯を順に行なうことによって実現し、
前記全白色画像、前記単色画像である純赤色画像、前記単色画像である純緑色画像、及び前記単色画像である純青色画像の各々につき、事前充電プロセスが存在する。
【発明の効果】
【００２０】
本発明の有益な効果は以下の通りである。本発明の提供する液晶パネルの充電率を求める方法では、実際に測定を行なう方法によって液晶パネルの充電率を求める。まず、液晶パネルのＶ-Ｔ曲線を測定するが、ここで当該Ｖ-Ｔ曲線のピークに対応する電圧はデータ信号電圧である。次に、液晶パネルの高負荷画像及び低負荷画像をそれぞれ同一のグレースケールに従って点灯させ、高負荷画像の実際の表示輝度及び低負荷画像の実際の表示輝度を測定して記録する。そして、高負荷画像の実際の表示輝度と低負荷画像の実際の表示輝度との比を計算する。さらに、この前記高負荷画像の実際の表示輝度と前記低負荷画像の実際の表示輝度との比の値を比率として、前記ピークに対してこのような比率を呈する測定点を前記Ｖ-Ｔ曲線上に記し、当該測定点に対応する電圧を特定し、当該電圧は即ちピクセル電圧のピーク値となる。最後に、前記ピクセル電圧のピーク値とデータ信号電圧との比を計算することで、液晶パネルの充電率が得られる。本発明の方法は、精度がより高く、従来の方法を用いて得られた充電率シミュレーション結果の精度を検証するのにも適用され得る。
【図面の簡単な説明】
【００２１】
本発明の特徴及び技術内容に対するさらなる理解のために、以下における発明の詳細な説明及び添付の図面を参照されたい。添付の図面は単に説明に供するためのものにすぎず、本発明を限定するためのものではない。
【００２２】
添付の図面において、
【図１】従来におけるＴｒｉｇａｔｅ構造を用いた液晶パネル内のアクティブエリアの構成を示す図である。
【図２】図１に示す液晶パネルにおいて、事前充電プロセスが存在しない場合のタイムシーケンス図である。
【図３】図１に示す液晶パネルにおいて、事前充電プロセスが存在する場合のタイムシーケンス図である。
【図４】本発明における液晶パネルの充電率を求める方法のフローチャートである。
【図５】本発明における液晶パネルの充電率を求める方法で用いるＶ-Ｔ曲線を示す図である。
【図６】本発明における液晶パネルの充電率を求める方法において、全白色画像の点灯を示す図である。
【図７】図６と対応したタイムシーケンス図である。
【図８】本発明における液晶パネルの充電率を求める方法において、単色画像である純緑色画像の点灯を示す図である。
【図９】図８と対応したタイムシーケンス図である。
【図１０】本発明における液晶パネルの充電率を求める方法の原理を説明する図である。
【発明を実施するための形態】
【００２３】
本発明で採用されている技術手段及びその効果についてより詳細に記述するために、以下において、本発明の好ましい実施形態と添付の図面とを組み合わせて詳述する。
【００２４】
図４を参照されたい。本発明は液晶パネルの充電率を求める方法を提供し、当該方法は以下のステップを含む。
【００２５】
ステップＳ１、液晶パネルを提供する。
【００２６】
前記液晶パネルは即ち、現存する、図１に示すような、Ｔｒｉｇａｔｅ構造を採用した液晶パネルである。当該液晶パネルのアクティブエリアＡＡ内には、複数のアレイ状に配置されたピクセルＰが設けられており、各ピクセルＰはさらに、縦方向に順次配列された、赤サブピクセルＲと、緑サブピクセルＧと、青サブピクセルＢとを含む。各サブピクセルには１つの薄膜トランジスタＴが電気的に接続されており、薄膜トランジスタＴのゲート電極は横方向に延びる走査線１００に接続されており、ソース電極は縦方向に延びるデータ線２００に接続されており、ドレイン電極はピクセル電極ＰＸに接続されている。１つのピクセルＰは、１本のデータ線２００及び３本の走査線１００と対応している。走査線１００上にゲート走査信号Ｇａｔｅを印加することで、当該走査線１００に電気的に接続された全ての薄膜トランジスタＴはオンとなる。これにより、データ線２００上に印加されたデータ信号Ｄａｔａは対応するサブピクセルに書き込まれ、液晶の透過率を制御することで、色彩及び輝度を制御できるという効果が得られる。
【００２７】
ステップＳ２、図５に示すように、液晶パネルの透過率と電圧の変化との関係を示す曲線を測定する。当該曲線は業界でＶ-Ｔ曲線と称される（Ｖは電圧を表し、Ｔは透過率を表す）。
【００２８】
当該Ｖ-Ｔ曲線のピークＤ１に対応する電圧は即ち、データ信号電圧Ｖｄａｔａである。
【００２９】
ステップＳ３、図６及び図８を参照されたい。液晶パネルの高負荷画像及び低負荷画像をそれぞれ同一のグレースケールに従って点灯させ、高負荷画像の実際の表示輝度及び低負荷画像の実際の表示輝度を測定して記録する。
【００３０】
具体的には、前記同一のグレースケールは、好ましくはグレースケール２５５である。
【００３１】
前記低負荷画像は全白色画像であり、即ち、赤サブピクセルＲ、緑サブピクセルＧ及び青サブピクセルＢはいずれもグレースケール２５５で点灯する。図６及び図７を参照して、液晶パネルの低負荷画像の点灯につき、事前充電プロセスが存在し、且つ事前充電の電圧は比較的高く、最終的なピクセル電圧のピーク値Ｖｐｉｘｅｌはデータ信号電圧Ｖｄａｔａに達することができる。
【００３２】
前記高負荷画像は、単色画像である純赤色画像と、単色画像である純緑色画像と、単色画像である純青色画像とを含む。当該ステップＳ３において、低負荷画像の点灯は、単色画像である純赤色画像の点灯、即ち、グレースケール２５５での赤サブピクセルＲの点灯；単色画像である純緑色画像の点灯、即ち、グレースケール２５５での緑サブピクセルＧの点灯；及び単色画像である純青色画像の点灯、即ち、グレースケール２５５での青サブピクセルＢの点灯を順に行なうことによって実現する。図８及び図９を参照して、液晶パネルの高負荷画像（例えば、単色画像である純緑色画像）を点灯させる場合も、事前充電プロセスが存在するが、事前充電の電圧は比較的低く、最終的なピクセル電圧のピーク値Ｖｐｉｘｅｌはデータ信号電圧Ｖｄａｔａよりも低くなる。
【００３３】
ステップＳ４、高負荷画像の実際の表示輝度と低負荷画像の実際の表示輝度との比を計算する。
【００３４】
具体的には、当該ステップＳ４において、高負荷画像の実際の表示輝度と低負荷画像の実際の表示輝度との比を計算するのに用いられる公式は以下の通りである。
【００３５】
ＬｖＲａｔｉｏ＝（ＬｖＲ＋ＬｖＧ＋ＬｖＢ）/ ＬｖＷ
ここで、ＬｖＲａｔｉｏは、高負荷画像の実際の表示輝度と低負荷画像の実際の表示輝度との比を示し、ＬｖＲは単色画像である純赤色画像の実際の表示輝度を示し、ＬｖＧは単色画像である純緑色画像の実際の表示輝度を示し、ＬｖＢは単色画像である純青色画像の実際の表示輝度を示し、ＬｖＷは全白色画像の実際の表示輝度を示す。
【００３６】
ステップＳ５、図５を参照されたい。前記高負荷画像の実際の表示輝度と前記低負荷画像の実際の表示輝度との比の値を比率として、前記ピークＤ１に対してこのような比率を呈する測定点Ｄ２を前記Ｖ-Ｔ曲線上に記し、当該測定点Ｄ２に対応する電圧を特定し、当該電圧は即ちピクセル電圧のピーク値Ｖｐｉｘｅｌとなる。
【００３７】
ステップＳ６、前記ピクセル電圧のピーク値Ｖｐｉｘｅｌ及びデータ信号電圧Ｖｄａｔａに基づいて液晶パネルの充電率を計算する。
【００３８】
ＣＲａｔｉｏ＝（Ｖｐｉｘｅｌ/Ｖｄａｔａ）×１００％
ここで、ＣＲａｔｉｏは液晶パネルの充電率を示し、Ｖｄａｔａはデータ信号電圧を示し、Ｖｐｉｘｅｌはピクセル電圧のピーク値を示す。
【００３９】
図１０及び図５を参照して、本発明における液晶パネルの充電率を求める方法の原理は以下の通りである。
【００４０】
高負荷画像（例えば、単色画像である純緑色画像）は十分に充電されないため、そのグレースケール２５５での実際の表示輝度は、全白色画像のグレースケール２５５での実際の表示輝度には及ばない。例えば、単色画像である純緑色画像のグレースケール２５５での実際の表示輝度は、全白色画像のグレースケール２５５での実際の表示輝度の９１％にすぎず、即ち、単色画像である純緑色画像のグレースケール２５５での実際の表示輝度は、全白色画像のグレースケール２３２での実際の表示輝度と等しい。輝度が等しいということは、ピクセル電圧のピーク値Ｖｐｉｘｅｌが等しいということと対応しており、輝度はまた透過率にも対応している。これにより、前記高負荷画像の実際の表示輝度と前記低負荷画像の実際の表示輝度との比の値を比率として、前記ピークＤ１に対してこのような比率を呈する測定点Ｄ２を前記Ｖ-Ｔ曲線上に記し、当該測定点Ｄ２に対応する電圧を特定することで、ピクセル電圧のピーク値Ｖｐｉｘｅｌが得られ、さらに、前記ピクセル電圧のピーク値Ｖｐｉｘｅｌとデータ信号電圧Ｖｄａｔａとの比を計算することで、液晶パネルの充電率ＣＲａｔｉｏが得られる。この方法は、実際の測定により液晶パネルの充電率を求めるため、精度がより高く、従来の方法を用いて得られた充電率シミュレーション結果の精度を検証するのにも適用され得る。
【００４１】
以上のように、本発明における液晶パネルの充電率を求める方法では、実際に測定を行なう方法によって液晶パネルの充電率を求める。まず、液晶パネルのＶ-Ｔ曲線を測定するが、ここで当該Ｖ-Ｔ曲線のピークに対応する電圧はデータ信号電圧である。次に、液晶パネルの高負荷画像及び低負荷画像をそれぞれ同一のグレースケールに従って点灯させ、高負荷画像の実際の表示輝度及び低負荷画像の実際の表示輝度を測定して記録する。そして、高負荷画像の実際の表示輝度と低負荷画像の実際の表示輝度との比を計算する。さらに、この前記高負荷画像の実際の表示輝度と前記低負荷画像の実際の表示輝度との比の値を比率として、前記ピークに対してこのような比率を呈する測定点を前記Ｖ-Ｔ曲線上に記し、当該測定点に対応する電圧を特定し、当該電圧は即ちピクセル電圧のピーク値となる。最後に、前記ピクセル電圧のピーク値とデータ信号電圧との比を計算することで、液晶パネルの充電率が得られる。本発明の方法は、精度がより高く、従来の方法を用いて得られた充電率シミュレーション結果の精度を検証するのにも適用され得る。
【００４２】
このように、本分野の通常の技術者は、本発明の技術案及び技術的思想に基づいて、その他各種の対応する改変及び変形を施すことができ、これら改変及び変形はいずれも本発明の特許請求の範囲で保護を求める範囲に属する。
【図１】
0006968277.tif 000002
【図２】
0006968277.tif 000003
【図３】
0006968277.tif 000004
【図４】
0006968277.tif 000005
【図５】
0006968277.tif 000006
【図６】
0006968277.tif 000007
【図７】
0006968277.tif 000008
【図８】
0006968277.tif 000009
【図９】
0006968277.tif 000010
【図１０】
0006968277.tif 000011